(57)【要約】【課題】一回の動作でマウントできるクリップを提供すること。【解決手段】フレームクリップは、長手方向軸線を有する、ほぼ楕円体を有しており、楕円体の長手方向軸線に対して平行な開口を有しており、楕円体は、所定の高さと、第１の内側寸法と、第２の内側寸法とを有しており、第２の内側寸法は、第１の内側寸法よりも大きい。【選択図】図１
2005072004.tif 000002
【特許請求の範囲】
【請求項１】
光源をランプ内にマウントするためのフレームクリップにおいて、
前記フレームクリップは、ほぼ楕円体を有しており、該楕円体は、長手方向軸線を有しており、当該楕円体の長手方向軸線に対して平行な開口を有しており、前記楕円体は、所定の高さと、第１の内側寸法Ｄ１と、第２の内側寸法Ｄ２とを有しており、前記第２の内側寸法Ｄ２は、前記第１の内側寸法Ｄ１よりも大きいことを特徴とするフレームクリップ。
【請求項２】
ほぼ反対側に配設されたカットアウト部対が、各々前記フレームクリップから突出した拡張フラップを形成するように前記楕円体上に設けられている請求項１記載のフレームクリップ。
【請求項３】
前記カットアウト部が、前記第２の寸法で位置付けられる請求項２記載のフレームクリップ。
【請求項４】
前記フレームクリップは、ステンレススチール製である請求項１記載のフレームクリップ。
【請求項５】
ランプ用マウントアセンブリにおいて、
管であって外側寸法Ｄの第１の部分と、ピンチシールとして形成された第２の部分とを有するガラスステムと、
前記第１の部分上にマウントされたフレームクリップとを有しており、前記フレームクリップは、ほぼ楕円体を有しており、該楕円体の長手方向軸線に、前記長手方向軸線に対して平行な開口を有しており、該開口は、所定の高さと、第１の内側寸法Ｄ１と、第２の内側寸法Ｄ２とを有しており、前記第２の内側寸法Ｄ２は、前記第１の内側寸法Ｄ１よりも大きく、且つ、前記第１の内側寸法Ｄ１は、前記フレームクリップが前記ガラスステム上にマウントされる前には、前記外側寸法Ｄよりも小さく、前記マウント後には、前記第１の寸法Ｄ１及び前記第２の寸法Ｄ２は、前記外側寸法Ｄに等しい
ことを特徴とするマウントアセンブリ。
【請求項６】
ほぼ反対側に配設されたカットアウト部対は、前記クリップに形成されていて、各々前記フレームクリップから離れるように突出された拡張フラップを形成し、
第１のフレーム部材は、前記フラップの第１のフラップに固定されており、第２のフレーム部材は、前記フラップの第２のフラップに取り付けられている
請求項５記載のマウントアセンブリ。
【発明の詳細な説明】
【技術分野】
【０００１】
本発明は、光源をランプ内にマウントするためのフレームクリップに関しており、更に、ランプ用マウントアセンブリに関する。
【０００２】
もっと特定すると、経済的に製造することができ、自動化に適しており、低電力灯に容易にマウントされるマウントアセンブリに関する。
【０００３】
本発明は、高輝度放電（ＨＩＤ）ランプ用プレスオンステムクリップに関する。
【背景技術】
【０００４】
アーク放電ランプ用のマウントアセンブリは、フレーム上にマウントされた放電管を通常用いる。フレームは、一般的に、クリップを用いてフレア（ｆｌａｒｅ）部にマウントされている。フレア部自体は、排気管を有していて、インリード部（ｉｎ−ｌｅａｄ）をピンチシール部にシールする管体を有している。従来技術のアセンブリは、ステム上に波状にひだをつけられた（ｃｒｉｍｐｅｄ）バンドとフレームアセンブリを使用している。これらのアセンブリは、搬送中損傷を被ることがある入手パーツであることがよくある。更に、アセンブリをステムにマウントする必要がある、波状のひだつけ、及び、ストラップ操作は、合理的に自動化可能でなかった。そのようなアセンブリは、高価であり、仕上げるのに膨大な量の手動操作を必要とする。繰り返し手で操作するのは、人間工学的に受け入れがたい問題がある。
【発明の開示】
【発明が解決しようとする課題】
【０００５】
従って、本発明の課題は、従来技術の欠点を取り除くことにある。
【０００６】
本発明の別の課題は、アーク放電ランプのアセンブリを改良することにある。
【０００７】
本発明の更に別の課題は、組み立てを自動化するのに適したマウントアセンブリを提供することにある。
【０００８】
本発明の別の課題は、一回の動作でマウントできるクリップを提供することにある。
【課題を解決するための手段】
【０００９】
これらの課題は、本発明によると、フレームクリップは、ほぼ楕円体を有しており、該楕円体の長手方向軸線に、長手方向軸線に対して平行な開口を有しており、該開口は、所定の高さと、第１の内側寸法Ｄ１と、第２の内側寸法Ｄ２とを有しており、第２の内側寸法Ｄ２は、第１の内側寸法Ｄ１よりも大きいことにより解決される。寸法Ｄ１は、フレアバレル部の最小寸法よりも小さく、寸法Ｄ２は、プレスシールの最広幅部分よりも大きいことにより解決される。
【００１０】
更に、課題は、本発明によると、管であって外側寸法Ｄの第１の部分と、ピンチシールとして形成された第２の部分とを有するガラスステムとを有する、ランプ用マウントアセンブリにより解決される。フレームクリップは、第１の部分上にマウントされている。フレームクリップは、ほぼ楕円体を有しており、該楕円体の長手方向軸線に、長手方向軸線に対して平行な開口を有しており、楕円体は、所定の高さと、第１の内側寸法Ｄ１と、第２の内側寸法Ｄ２とを有しており、第２の内側寸法Ｄ２は、第１の内側寸法Ｄ１よりも大きく、且つ、第１の内側寸法Ｄ１は、フレームクリップがガラスステム上にマウントされる前には、外側寸法Ｄよりも小さく、マウント後には、第１の寸法Ｄ１及び第２の寸法Ｄ２は、外側寸法Ｄに等しい。
【発明の効果】
【００１１】
このクリップとマウントアセンブリとによって、従来技術の装置を凌駕する重大な利点が達成される。異なる楕円の寸法の最大のものは、ピンチシールの最大寸法よりも大きいので、一回の動作で、クリップをピンチシール上のフレアバレル部上に押し込むことができる。楕円形状クリップの最も狭い寸法よりも大きいバレルの寸法により、相互に関わり合って形状が変形し、それにより、バレルのガラスとクリップとの間の摩擦を生じる。このような構成により、クリップとバレルとの間で相互に関わり合って適合するようになり、バレルを所定の寸法、円形でない寸法に適合するように変形することができるようになる。更に、クリップを容易に製造することができ、自動化し易く、それにより、クリップが使用されているランプのコストを下げることができる。
【実施例１】
【００１２】
以下、図示の実施例を用いて本発明について説明する。
【００１３】
図１には、光源（例えば、アーク管）をランプ内にマウントするためのフレームクリップ１００が示されている。フレームクリップ１００は、長手方向軸線１１０を有するほぼ楕円体を有しており、楕円体の長手方向軸線１１０に対して平行な開口１１２を楕円体は有しており、楕円体は、所定の高さ、第１の内側寸法Ｄ１及び第２の内側寸法Ｄ２を有しており、その際、第２の内側寸法Ｄ２は、第１の内側寸法Ｄ１よりも大きい。
【００１４】
本発明の有利な実施例では、フレームクリップ１００は、ステンレススチール製であり、０．０２０インチ厚である。一般的に、Ｄ１は、Ｄ２の８４〜８６％である。有利な実施例では、フレームクリップは、中電力アーク放電ランプで使用するように設計されており、Ｄ１は、０．４９１インチであり、Ｄ２は、０．５７１インチである。これらの寸法は、０．５３１インチ（１３．４６ｍｍ）±０．０１３インチ（０．３３ｍｍ）の寸法のフレアバレル部に適合する。
【００１５】
相互に反対側に配設されたカットアウト部が、楕円体に設けられて、クリップから離れるように突出した拡張フラップ１１８及び１２０を形成する。
【００１６】
ランプ用のマウントアセンブリ２００は、管であって、外径Ｄの第１のバレル部２０４を有するガラスステム２０２を有している。第２の部分２０６は、ピンチシールとして形成されており、このピンチシールは、一般的に長方形の断面である。フレームクリップ１００は、バレル上にクリップを押し込むことによって、バレル部２０４上にマウントされる。Ｄ２は、プレスシールの最大直径よりも大きく、クリップのクリアランスは維持される。その後、寸法Ｄ１は、バレルの大きな寸法に適合し、それに応じて拡がって、所要のように相互に関わり合って適合する。
【００１７】
それから、フレーム部材２０８及び２１０を、公知のように、突出フラップ１１８及び１２０に取り付けることができる。アーク管及びそれと一緒に設けられた遮蔽部を、公知のようにマウントすることができる。
【００１８】
択一的に、アーク管及びフレームアセンブリを、最初にクリップに取り付けて、次に、全アセンブリをガラスステム上にマウントすることができる。
【００１９】
後述のようなフレームクリップを使うと、従来技術を凌駕する利点がたくさん達成される。マニュアルのアセンブリを著しく低減することができ、それにより、設置及び取り外しに関わる人間工学的な問題点を減らすことができる。付加的に、アセンブリを自動化するコスト及びリスクを低減することができる。
【００２０】
本発明の有利な図示の実施例を用いて説明したが、本発明の請求項記載の範囲から逸脱しない限りで、当業者は種々に変形実施することができることは明らかである。
【図面の簡単な説明】
【００２１】
【図１】本発明の実施例の平面図。
【図２】フレア部上にマウントされた本発明のクリップを横方向から見た図。
【符号の説明】
【００２２】
１００  フレームクリップ
１１０  長手方向軸線
１１２  開口
１１８及び１２０  フラップ
２００  マウントアセンブリ
２０２  ガラスステム
２０４  第１のバレル部
２０６  ピンチシール
２０８及び２１０  フレーム部材
【図１】
2005072004.tif 000003
【図２】
2005072004.tif 000004